(57)【要約】      （修正有）【課題】スーパーやコンビニエンスストア等での買い物時に、店から提供される使い捨て手提げ袋を活用した再利用袋の収納および取り出しが容易で、かつ再利用袋収納具本体サイズおよび再利用袋取り出しスペースの縮小が可能な、再利用袋収納具を提供する。【解決手段】再利用袋収納具１は、前面板２と、背面板３と、底板４とにより溝部５を構成し、かつ底板４の一部と、前面板２の一部と、背面板３の一部とに渡り開口部６を設けた。再利用袋７を、折り畳まずに縦方向にしごいただけの状態で溝部５に素早く収納でき、かつ再利用袋を開口部６から容易かつ便利に取り出すことができ、さらに再利用袋収納具１の本体サイズと、再利用袋を取り出すためのスペースとを縮小する。【選択図】図２
2015117069.tif 000002
【特許請求の範囲】
【請求項１】
前面板（２）と、背面板（３）と、底板（４）とにより溝部（５）を構成し、かつ底板（４）の一部と、底板（４）に接続する前面板（２）の一部と、底板（４）に接続する背面板（３）の一部とに渡って開口部（６）を設けた構造の、再利用袋収納具（１）。
【請求項２】
前面板（２）の中央付近を開口部（６）の一部とした、請求項１に記載の再利用袋収納具（１）。
【請求項３】
前面板（２）を２枚の前面板（２ａ，２ｂ）に分離した、請求項１に記載の再利用袋収納具（１）。
【請求項４】
底板（４）を曲面形状とした、請求項１、請求項２、請求項３のいずれかに記載の再利用袋収納具（１）。
【請求項５】
構成する材料の全てまたは一部を金網材とした、請求項１、請求項２、請求項３、請求項４のいずれかに記載の再利用袋収納具（１）。
【請求項６】
構成する材料の全てまたは一部を、中実または中空の棒材とした、請求項１、請求項２、請求項３、請求項４のいずれかに記載の再利用袋収納具（１）。
【発明の詳細な説明】
【技術分野】
【０００１】  本発明は、スーパーやコンビニエンスストア等での買い物時に、店から提供される使い捨て手提げ袋を活用した再利用袋の、収納および取り出しを容易にすることを目的とした、再利用袋収納具に関するものである。
【背景技術】
【０００２】  近年、環境保全への関心が高まるのに伴い、スーパー等での買い物時にマイバッグを使用することが普及しつつある。一方、例えばコンビニエンスストアやホームセンター等での買い物には、依然として店から提供される使い捨て手提げ袋を使用しているのが現状であり、使い捨て手提げ袋を再利用するための収納に悩んでいたり、あるいは再利用することをあきらめている家庭は少なくない。【０００３】  そこで、使用済みの使い捨て手提げ袋を活用した再利用袋の収納手段として、例えば特許文献１に示すように、収納容器の下端部に再利用袋を取り出すための開口部を設けることが考えられるが、再利用袋を平面状に折り畳んで収納することを前提としているために、収納に手間が掛かることが難点であった。【０００４】  また再利用袋を折り畳む手間を省くために、特許文献２に示すように、再利用袋を収納容器に丸めて詰め込んで開口部から取り出すという方法が考えられるが、再利用袋が嵩張って収納容器のサイズが大きくなるために場所をとる、取り出したときに再利用袋が皺だらけになる、などの問題点があった。【０００５】  一方、例えば特許文献３に示すように、再利用袋を前面板と、背面板と、底板とで構成された溝部に、横方向に折り畳んだ、あるいは縦方向にしごいた再利用袋を水平にして、前記溝部の底に積み重ねるように収納する方法が考えられるが、収納時に小さく折り畳む必要がないという利点はあるものの、再利用袋を取り出すときには前記溝部の側面から水平に引き抜くことになるため、少なくとも収納具の片側に、収納した状態の再利用袋の長さ以上の幅の空間を必要とするという問題点があった。
【先行技術文献】
【特許文献】
【０００６】
【特許文献１】  特許第４０３３３５８号公報
【特許文献２】  特開平１０−２７８９４３号公報
【特許文献３】  特開平１０−２３６５４７号公報
【発明の概要】
【発明が解決しようとする課題】
【０００７】  解決しようとする課題は、再利用袋を、折り畳む手間を掛けずに素早く収納でき、かつ収納した再利用袋を容易に取り出すことができ、さらに再利用袋収納具の本体サイズと、再利用袋を取り出すためのスペースとを縮小することが可能な、再利用袋収納具を提供することである。
【課題を解決するための手段】
【０００８】  本発明は、再利用袋収納具において、再利用袋を、折り畳まずに縦方向にしごいただけの状態で収納することを可能とするために、前面板と、背面板と、底板とにより溝部を構成し、かつ前記溝部の底面、前面、上面のいずれかから再利用袋を取り出すことを可能とするために、底板の一部と、前面板の一部と、背面板の一部とに渡り開口部を設けた構造としたことを主な特徴とする。【０００９】  本発明による再利用袋収納具１は、図１に示すように、前面板２と、背面板３と、底板４とにより溝部５を構成し、かつ底板４の一部と、底板４に接続する前面板２の一部と、底板４に接続する背面板３の一部とに渡って開口部６を設けている。【００１０】  再利用袋収納具１は、溝部５を設けることにより、図２に示すように、再利用袋７を、折り畳まずに縦方向にしごいただけの状態で溝部５に収納することを可能としている。このとき、再利用袋７は積み重なって溝部５に収納されることになる。【００１１】  また、再利用袋収納具１は、開口部６を設けることにより、再利用袋７を溝部５の底面、前面、上面のいずれかから取り出すことを可能としたため、再利用袋７を必ずしも溝部５の側面から取り出す必要がなく、取り出す方法の選択肢が拡がるという利点を有する。【００１２】  また、図３に示すように、前面板２の中央付近を開口部６の一部とすることにより、再利用袋７を溝部５の前面から取り出すことが容易になる。【００１３】  さらに、図４に示すように、前面板２を前面板２ａおよび前面板２ｂに分離することにより、再利用袋７を溝部５の上面から取り出すことが容易になる。【００１４】  一方、図５に示すように、底板４を曲面形状とすることにより、再利用袋７を溝部５の底面から取り出すことが一層容易になり、かつデザイン性も向上する。【００１５】  また再利用袋収納具１は、図１に示すような板材だけでなく別構造の材料、例えば図６に示すような金網材８〜１０、図７に示すような中実または中空の棒材１１のいずれかにより構成することも可能であり、かつ板材で構成した場合と同様に溝部５及び開口部６を構成することが可能である。
【発明の効果】
【００１６】  本発明による再利用袋収納具１は、溝部５を設けることにより、再利用袋７を折り畳まずに縦方向にしごくだけで収納することが可能になった。また、開口部６を設けることにより、再利用袋７を溝部５の側面から取り出せるだけでなく、溝部５の底面、前面、上面のいずれかから取り出すことも可能になり、取り出す方法の選択肢を拡げることができた。【００１７】  その結果、再利用袋７を手軽に素早く収納することができ、かつ収納した再利用袋７を取り出す方法の選択肢が拡がったため、容易かつ便利に取り出せるようになった。また併せて、再利用袋収納具１の本体サイズと、再利用袋７を取り出すためのスペースとを縮小することが可能になった。【００１８】  さらに、前面板２の中央付近を開口部６の一部とすることにより、再利用袋７を溝部５の前面から取り出すことが容易になる、あるいは前面板２を前面板２ａおよび前面板２ｂに分離することにより、再利用袋７を溝部５の上面から取り出すことが容易になるなど、再利用袋７の取り出しが一層便利になった。
【図面の簡単な説明】
【００１９】
【図１】  再利用袋収納具の構造の概要を示した図である。
【図２】  再利用袋収納具に再利用袋を収納した状態を示した図である。
【図３】  再利用袋収納具の溝部を構成する前面板の中央付近を開口部の一部としたときの構造を示した図である。
【図４】  再利用袋収納具の溝部を構成する前面板を２枚に分離したときの構造を示した図である。
【図５】  再利用袋収納具の溝部を構成する底板を曲面形状としたときの構造を示した図である。
【図６】  再利用袋収納具の材料を金網材としたときの構造の一例を示した図である。
【図７】  再利用袋収納具の材料を棒材としたときの構造の一例を示した図である。
【図８】  再利用袋を再利用袋収納具の溝部に収納する方法の一例を示した図である。
【図９】  再利用袋収納具の溝部の側面から再利用袋を取り出す方法の一例を示した図である。
【図１０】  再利用袋収納具の溝部に設けた開口部の底面から最下段の再利用袋を取り出す方法の一例を示した図である。
【図１１】  再利用袋収納具の溝部に設けた開口部の前面から中段の再利用袋を取り出す方法の一例を示した図である。
【図１２】  再利用袋収納具の溝部に設けた開口部の上面から最上段の再利用袋を取り出す方法の一例を示した図である。
【図１３】  再利用袋収納具の溝部から再利用袋の一部を取り出した後に、溝部に生じた空隙を詰める方法の一例を示した図である。
【図１４】  再利用袋収納具を卓の上に置くための構造の一例を示した図である。
【図１５】  再利用袋収納具を鉛直な壁に取り付けるための構造の一例を示した図である。
【発明を実施するための形態】
【００２０】  再利用袋収納具１の使用は、再利用袋７を溝部５に積み重ねて収納し、溝部５の側面または開口部６から取り出すことにより達成する。
【実施例１】
【００２１】  再利用袋７を再利用袋収納具１に収納する方法の一例を図８に示す。本例による収納は、再利用袋７を、縦方向にしごいた後に、両端部を左右それぞれの手で持ちつつ、水平を保った状態で、溝部５の上面から挿入し、溝部５の底部に順次積み重ねて行くことにより行う。
【実施例２】
【００２２】  再利用袋収納具１の溝部５の側面から再利用袋７を取り出す方法の一例を図９に示す。本例による取り出しは、溝部５に収納された再利用袋７の片側端部を手で摘んで、溝部５の側面から水平方向に引き出すことにより行う。
【実施例３】
【００２３】  再利用袋収納具１の溝部５に設けた開口部６の底面から、最下段の再利用袋７ａを取り出す方法の一例を図１０に示す。本例による取り出しは、溝部５に収納された再利用袋７のうち、開口部６から覗いている最下段の再利用袋７ａの中間部を手で摘んで、下方に引き出すことにより行う。
【実施例４】
【００２４】  再利用袋収納具１の溝部５に設けた開口部６の前面から、中段の再利用袋７ｂを取り出す方法の一例を図１１に示す。本例による取り出しは、溝部５に収納された再利用袋７のうち、開口部６の一部である、前面板２の中央付近から覗いている中段の再利用袋７ｂの中間部を手で摘んで、前面方向に引き出すことにより行う。
【実施例５】
【００２５】  再利用袋収納具１の溝部５に設けた開口部６の上面から、最上段の再利用袋７ｃを取り出す方法の一例を図１２に示す。本例による取り出しは、溝部５に収納された再利用袋７のうち、開口部６の一部、すなわち前面板２ａと前面板２ｂの間から覗いている最上段の再利用袋７ｃの中間部を手で摘んで、上方に引き出すことにより行う。
【実施例６】
【００２６】  再利用袋収納具１の溝部５から再利用袋７の一部を取り出すことにより溝部５に生じた空隙を詰める方法の一例を図１３に示す。本例による空隙の解消は、最下段の再利用袋７ａを取り出すことにより生じた空隙が無くなるまで、取り出す前の再利用袋７ａの直上段であった再利用袋７ｄの両端部を左右それぞれの手で持ちつつ押し下げ、再利用袋７ｄよりもさらに上段の再利用袋についても、同様の作業を繰り返すことにより順次押し下げて行くことで達成する。
【実施例７】
【００２７】  再利用袋収納具１を車１４の上に置いて使用するための構造の一例を図１４に示す。本例では、再利用袋収納具１に柱部１２及び台座部１３を付加した構造としている。なお、柱部１２を長くすることにより、柱部１２及び台座部１３が付加された再利用袋収納具１を床の上に置いて使用することも可能になる。
【実施例８】
【００２８】  再利用袋収納具１を鉛直な壁に取り付けて使用するための構造の一例を図１５に示す。本例では、再利用袋収納具１に取付具１５を付加した構造とし、両面接着テープ１６を介して鉛直な壁１７に固定している。
【符号の説明】
【００２９】１  再利用袋収納具
２  溝部を構成する前面板
２ａ，２ｂ  分離された前面板
３  溝部を構成する背面板
４  溝部を構成する底板
５  再利用袋収納具の溝部
６  溝部に設けた開口部
７  再利用袋
７ａ  溝部に収納された最下段の再利用袋
７ｂ  溝部に収納された中段の再利用袋
７ｃ  溝部に収納された最上段の再利用袋
７ｄ  溝部に収納された、７ａの直上段の再利用袋
８  溝部を構成する、金網材による前面板
９  溝部を構成する、金網材による背面板
１０  溝部を構成する、金網材による底板
１１  溝部を構成する、中実または中空の棒材
１２  柱部
１３  台座部
１４  卓
１５  取付具
１６  両面接着テープ
１７  鉛直な壁
【図１】
2015117069.tif 000003
【図２】
2015117069.tif 000004
【図３】
2015117069.tif 000005
【図４】
2015117069.tif 000006
【図５】
2015117069.tif 000007
【図６】
2015117069.tif 000008
【図７】
2015117069.tif 000009
【図８】
2015117069.tif 000010
【図９】
2015117069.tif 000011
【図１０】
2015117069.tif 000012
【図１１】
2015117069.tif 000013
【図１２】
2015117069.tif 000014
【図１３】
2015117069.tif 000015
【図１４】
2015117069.tif 000016
【図１５】
2015117069.tif 000017